(57)【特許請求の範囲】
【請求項１】
画面の分割表示が可能な映像表示装置を操作するためのリモートコントローラであって、
前記映像表示装置で表示可能な分割画面領域のうち、分割表示時の操作対象として特定する領域を示す対象画面情報を、前記映像表示装置から受信する対象画面情報受信部と、
前記映像表示装置で表示可能な分割画面領域のそれぞれに対して、対象画面情報と、当該リモートコントローラから前記映像表示装置に対して分割表示時の操作対象の領域を指定するために送信する送信コードとを関連づけて記憶する記憶部と、
前記対象画面情報受信部で実際に受信した対象画面情報に対応する送信コードを前記記憶部から読み出し、該記憶部に分割表示時の操作対象を示す送信コードとして登録する送信コード登録部と、
前記映像表示装置に対して操作を行う操作キーを複数有する操作部と、
該操作部でキーの操作がなされたときに、前記送信コード登録部で登録された送信コードを前記記憶部から読み出して、前記キーに対応した操作キーコードと共に送信するコード送信部とを備えることを特徴とするリモートコントローラ。
【請求項２】
前記操作部は、前記対象画面情報受信部で受信する対象画面情報の送信要求を行う送信要求操作キーを有し、
前記コード送信部は、前記送信要求操作キーに対応した操作キーコードを送信することを特徴とする請求項１に記載のリモートコントローラ。
【請求項３】
前記映像表示装置において前記分割画面領域のそれぞれに対応した位置に配設された対象画面情報送信部の一つに、当該リモートコントローラを近づけることで、該対象画面情報送信部に対して、前記対象画面情報受信部で受信する対象画面情報の送信要求を行う要求送信部を備えることを特徴とする請求項１に記載のリモートコントローラ。
【請求項４】
複数のリモートコントローラからの操作が可能で、且つ画面の分割表示が可能な映像表示装置であって、
表示可能な分割画面領域のうち前記リモートコントローラが操作対象とする分割表示時の領域を特定するための対象画面情報を、前記リモートコントローラに送信する対象画面情報送信部と、
表示可能な分割画面領域のそれぞれに対して、分割画面領域を指定するための指定情報と、前記リモートコントローラから送信される、操作対象の領域を指定するための送信コードとを関連づけて記憶する記憶部と、
前記リモートコントローラから送信された操作キーコード及び送信コードを受信するコード受信部と、
前記コード受信部で受信した送信コードに対応する指定情報を、前記記憶部から読み出して、前記コード受信部で前記送信コードと共に受信した操作キーコードで操作対象となっている分割画面領域を決定し、該決定した分割画面領域の表示に対する、前記操作キーコードが示す操作内容の処理を実行するよう制御する制御部とを備えることを特徴とする映像表示装置。
【請求項５】
前記制御部は、前記コード受信部で前記対象画面情報の送信要求に対応した操作キーコードを受信したときに、前記対象画面情報送信部で送信する対象画面情報を選択するためのメニュー画像を、オンスクリーン表示するよう制御し、
前記対象画面情報送信部は、前記メニュー画像の表示中、前記コード受信部で前記選択を決定する要求に対応した操作キーコードを受信したときに、該決定された対象画面情報を送信することを特徴とする請求項４に記載の映像表示装置。
【請求項６】
前記対象画面情報送信部は、前記分割画面領域のそれぞれに対応した位置毎に配設され、且つ、それぞれ、前記リモートコントローラからの送信要求を受信する要求受信部を有し、該送信要求を受信したときに前記分割画面領域のそれぞれに対応する対象画面情報を送信することを特徴とする請求項４に記載の映像表示装置。
【請求項７】
前記対象画面情報送信部は、前記対象画面情報を所定の順番で送信することを特徴とする請求項４に記載の映像表示装置。
【請求項８】
操作を行う本体操作部を有し、
前記制御部は、前記本体操作部での所定の操作により、前記対象画面情報送信部で送信する対象画面情報を選択するためのメニュー画像を、オンスクリーン表示するよう制御し、
前記対象画面情報送信部は、前記メニュー画像を表示させた状態で前記本体操作部での選択操作により選択された対象画面情報を送信することを特徴とする請求項４に記載の映像表示装置。
【請求項９】
前記対象画面情報送信部は、前記コード受信部で前記対象画面情報の送信要求に対応した操作キーコードを受信したときに、前記対象画面情報を送信することを特徴とする請求項４に記載の映像表示装置。
【発明の詳細な説明】
【技術分野】
【０００１】
本発明は、映像表示装置を操作するためのリモートコントローラ（以下、リモコンという）、及びその映像表示装置に関する。
【背景技術】
【０００２】
リモコンは、電子機器を制御するためのコードを記憶し発信することが可能な装置であり、テレビ装置やパーソナルコンピュータ（ＰＣ）からの画像を表示するＰＣモニタなどの映像表示装置にも付属している。
【０００３】
リモコンの設定方法について、例えば特許文献１には、電子機器が電子機器本体に設けられた情報記憶媒体からリモコンの設定データ（リモコン情報）をリモコン側に伝送し、リモコンが電子機器本体より伝送されてきた設定データに基づきコード設定を行う技術が開示されている。ここでは情報記憶媒体としてＩＣ（Integrated Circuit）タグが用いられている。
【０００４】
ところで、近年の薄型テレビ装置の市場拡大に伴い、リビングルームに設置するための大画面テレビ装置の需要が高まっている。従来、超大画面テレビと言えばフロント投射型のプロジェクションテレビが多かったが、プラズマテレビや液晶テレビでも５０インチ型を超えるものが商品化された今日、１００インチ型を超える直視型の超大画面テレビも商品化されるに至っている。また、大画面のＰＣモニタについては、特に企業ユーザからの需要が高まっている。
【０００５】
このように映像表示装置が大画面化してくると、画面分割して複数のユーザ（視聴者）が同時に共有して使用する場面や、複数のユーザが個人毎に異なる映像設定等で使用する場面が多くなる。換言すると、映像表示装置の大画面化に伴って、１つの映像表示装置を複数のユーザが個別に操作したいというニーズが増えてくる。そして、そのような場面では、個々のリモコン操作が他のリモコン操作に影響を与えるのは良くない。
【０００６】
特許文献２には、多画面表示装置において、リモコン側に規定のＩＤ（IDentification）が設定されているものを用いて、複数台のリモコンで画面をシェアする技術が開示されている。この技術により、個々のリモコン操作が他のリモコン操作に影響を与えることなく、１つの映像表示装置を複数のユーザが個別に操作すること、すなわち各リモコンで対応したＩＤの画面（ウィンドウ）を操作することが可能となっている。
【特許文献１】特開２００６−１９７３７７号公報
【特許文献２】特開２０００−２７０２３８号公報
【発明の開示】
【発明が解決しようとする課題】
【０００７】
しかしながら、特許文献２に記載の技術では、対応するＩＤの画面とは異なるＩＤの画面の操作が必要となるようなケースまでは想定していない。従ってそのようなケースでは、操作したい画面のＩＤをもつリモコンに持ち替えなければならないという不都合が生じる。
【０００８】
なお、特許文献１に記載の技術は、電子機器に付属の専用リモコンを紛失したときに代わりのリモコンにコード設定する際に有用であるが、仮に複数のリモコンにリモコン情報を伝送してコード設定したとしてもそのリモコン情報は同一のリモコン情報であるため、複数のリモコンで映像表示装置の複数の画面を同時に操作することは不可能であり、またそのような想定もしていない。
【０００９】
本発明は、上述のごとき実状に鑑みてなされたものであり、その目的は、複数のリモコンのそれぞれに対し、映像表示装置で分割表示する際の分割画面領域を操作対象に設定でき、且つその設定を書き換えて他の分割画面領域を操作対象とすることも可能にすることにある。
【課題を解決するための手段】
【００１０】
上述のごとき課題を解決するために、本発明の第１の技術手段は、画面の分割表示が可能な映像表示装置を操作するためのリモートコントローラであって、前記映像表示装置で表示可能な分割画面領域のうち、分割表示時の操作対象として特定する領域を示す対象画面情報を、前記映像表示装置から受信する対象画面情報受信部と、前記映像表示装置で表示可能な分割画面領域のそれぞれに対して、対象画面情報と、当該リモートコントローラから前記映像表示装置に対して分割表示時の操作対象の領域を指定するために送信する送信コードとを関連づけて記憶する記憶部と、前記対象画面情報受信部で実際に受信した対象画面情報に対応する送信コードを前記記憶部から読み出し、該記憶部に分割表示時の操作対象を示す送信コードとして登録する送信コード登録部と、前記映像表示装置に対して操作を行う操作キーを複数有する操作部と、該操作部でキーの操作がなされたときに、前記送信コード登録部で登録された送信コードを前記記憶部から読み出して、前記キーに対応した操作キーコードと共に送信するコード送信部とを備えることを特徴としたものである。
【００１１】
第２の技術手段は、第１の技術手段において、前記操作部は、前記対象画面情報受信部で受信する対象画面情報の送信要求を行う送信要求操作キーを有し、前記コード送信部は、前記送信要求操作キーに対応した操作キーコードを送信することを特徴としたものである。
【００１２】
第３の技術手段は、第１の技術手段において、前記映像表示装置において前記分割画面領域のそれぞれに対応した位置に配設された対象画面情報送信部の一つに、当該リモートコントローラを近づけることで、該対象画面情報送信部に対して、前記対象画面情報受信部で受信する対象画面情報の送信要求を行う要求送信部を備えることを特徴としたものである。
【００１３】
第４の技術手段は、複数のリモートコントローラからの操作が可能で、且つ画面の分割表示が可能な映像表示装置であって、表示可能な分割画面領域のうち前記リモートコントローラが操作対象とする分割表示時の領域を特定するための対象画面情報を、前記リモートコントローラに送信する対象画面情報送信部と、表示可能な分割画面領域のそれぞれに対して、分割画面領域を指定するための指定情報と、前記リモートコントローラから送信される、操作対象の領域を指定するための送信コードとを関連づけて記憶する記憶部と、前記リモートコントローラから送信された操作キーコード及び送信コードを受信するコード受信部と、前記コード受信部で受信した送信コードに対応する指定情報を、前記記憶部から読み出して、前記コード受信部で前記送信コードと共に受信した操作キーコードで操作対象となっている分割画面領域を決定し、該決定した分割画面領域の表示に対する、前記操作キーコードが示す操作内容の処理を実行するよう制御する制御部とを備えることを特徴としたものである。この映像表示装置は、例えば第１の技術手段におけるリモートコントローラとセットとなる。
【００１４】
第５の技術手段は、第４の技術手段において、前記制御部は、前記コード受信部で前記対象画面情報の送信要求に対応した操作キーコードを受信したときに、前記対象画面情報送信部で送信する対象画面情報を選択するためのメニュー画像を、オンスクリーン表示するよう制御し、前記対象画面情報送信部は、前記メニュー画像の表示中、前記コード受信部で前記選択を決定する要求に対応した操作キーコードを受信したときに、該決定された対象画面情報を送信することを特徴としたものである。この映像表示装置は、例えば第２の技術手段におけるリモートコントローラとセットとなる。
【００１５】
第６の技術手段は、第４の技術手段において、前記対象画面情報送信部は、前記分割画面領域のそれぞれに対応した位置毎に配設され、且つ、それぞれ、前記リモートコントローラからの送信要求を受信する要求受信部を有し、該送信要求を受信したときに前記分割画面領域のそれぞれに対応する対象画面情報を送信することを特徴としたものである。この映像表示装置は、例えば第３の技術手段におけるリモートコントローラとセットとなる。
【００１６】
第７の技術手段は、第４の技術手段において、前記対象画面情報送信部は、前記対象画面情報を所定の順番で送信することを特徴としたものである。この映像表示装置は、例えば第１又は第２の技術手段におけるリモートコントローラとセットとなる。
【００１７】
第８の技術手段は、第４の技術手段において、操作を行う本体操作部を有し、前記制御部は、前記本体操作部での所定の操作により、前記対象画面情報送信部で送信する対象画面情報を選択するためのメニュー画像を、オンスクリーン表示するよう制御し、前記対象画面情報送信部は、前記メニュー画像を表示させた状態で前記本体操作部での選択操作により選択された対象画面情報を送信することを特徴としたものである。この映像表示装置は、例えば第１の技術手段におけるリモートコントローラとセットとなる。
【００１８】
第９の技術手段は、第４の技術手段において、前記対象画面情報送信部は、前記コード受信部で前記対象画面情報の送信要求に対応した操作キーコードを受信したときに、前記対象画面情報を送信することを特徴としたものである。この映像表示装置は、例えば第２の技術手段におけるリモートコントローラとセットとなる。
【発明の効果】
【００１９】
本発明によれば、複数のリモコンのそれぞれに対し、映像表示装置で分割表示する際の分割画面領域を操作対象に設定することが可能になり、且つその設定を書き換えて他の分割画面領域を操作対象とすることも可能となる。
【発明を実施するための最良の形態】
【００２０】
以下、本発明に係る映像表示装置について、テレビ装置を例示して説明するが、ＰＣに接続してデータ表示を行うＰＣモニタ等のディスプレイなど、他の映像表示装置に対しても同様に適用できる。また、本発明に係る映像表示装置としては、液晶表示装置を例に挙げるが、その他、ＰＤＰ（Plasma Display Panel）、有機ＥＬ（Electro Luminescence）、ＬＥＤ（Light Emitting Diode）表示装置など、様々な表示方式のものが適用できる。
【００２１】
図１は、本発明の一実施形態に係る、テレビ装置とリモコンのセットの構成例を示す図で、図中、１はテレビ装置、３はテレビ装置１を遠隔操作するためのリモコンである。１台のテレビ装置１を操作可能なリモコン３は複数個存在するが、本発明に係る分割画面領域の割り当て処理（登録処理）は個々のリモコン３に対して実行されるため、図１においては１台のリモコン３のみ示している。１台のテレビ装置１に対するリモコン３の数は、本発明の登録処理の対象となる最大の分割数（例えば２分割と４分割が可能なテレビ装置１では４個）にすることが好ましい。また、図１のテレビ装置１においては制御線を点線で図示している。
【００２２】
図１で例示するリモコン３は、リモコン３の全体を制御するＣＰＵ（Central Processing Unit）３０、複数の操作キーでなるキー群３１、送信するコード群を格納するＥＥＰＲＯＭ（Electrically Erasable and Programmable Read Only Memory）等のメモリ３３、メモリ３３を参照してキー群３１のそれぞれのキーに対応した操作キーコードを操作信号（リモコン信号）として送信するキーコード送信部３４、及び、テレビ装置１から送信されるＩＤを無線で受信するＩＤ受信部３２を備える。ＣＰＵ３０はマイクロコンピュータ（マイコン）として実装してもよい。
【００２３】
一方、図１で例示するテレビ装置１は、テレビ装置１全体を制御する制御部１０、放送波で映像・音声信号を受信し復調・デコードするチューナ部１１、外部接続されたレコーダやＳＴＢ（Set Top Box）などからの映像・音声信号を入力する外部入力部１２、チューナ部１１や外部入力部１２から入力された映像信号に対し各種映像処理を施す映像処理ＩＣ１３、及び、音声信号に対し各種音声処理を施す音声処理ＩＣ１４を備える。
【００２４】
制御部１０は、例えば内蔵ＲＯＭ等に制御プログラムを格納しておき、内蔵ＣＰＵが、格納された制御プログラムを内蔵ＲＡＭ上に読み出し処理中のデータを一時的にＲＡＭに格納しながらその制御プログラムを実行するマイコンで構成すればよい。また、キーコード受信部１８で受信した操作信号は、制御部１０に入力され、制御プログラムによってその操作信号が示す制御がなされる。操作信号のデコードは制御部１０又はキーコード受信部で実行するよう構成しておけばよい。
【００２５】
さらにテレビ装置１は、ディスプレイ１７を駆動する表示デバイスドライバ１５、ディスプレイ１７を背面から照明するバックライトユニット１６、液晶等の非自己発光型のディスプレイ１７、リモコン３からの操作信号であるコードを受信するキーコード受信部１８、音声処理ＩＣ１４から出力された音声信号が示す音声を発するスピーカ１９、及び、ＩＤを無線で送信（発信）するＩＣタグ２０を備える。
【００２６】
表示デバイスドライバ１５は、映像処理ＩＣ１３から出力された映像信号が示す映像を表示デバイス（ここでは液晶ディスプレイ１７）に表示するようにディスプレイ１７を駆動する。また、ＩＣタグ２０は、後述する対象画面情報としてＩＤを記憶したメモリ２１と、そのＩＤを非接触で無線送信（発信）するＩＤ送信部２２とを有するアクティブＲＦＩＤ（Radio Frequency IDentification）方式のタグである。メモリ２１には、例えば分割画面領域の数、すなわち分割時の画面数のＩＤが格納されている。
【００２７】
本発明におけるテレビ装置１は、複数のリモコン３からの操作が可能で、且つ画面の分割表示が少なくとも可能であるものとする。画面の分割表示は、例えば制御部１０が映像処理ＩＣ１３に対して入力されるソースの制御や、各ソースからの映像信号の表示領域（分割画面領域）を設定してその領域に合わせて映像を変換する制御などによって実現できる。
【００２８】
そして本発明におけるテレビ装置１及びリモコン３のセットでは、以下に説明するように、各リモコン３に対して分割画面の操作対象を設定する操作対象設定手段を備えるものとする。この操作対象設定手段としては、テレビ装置１側に後述する対象画面情報送信部を設け、リモコン３側に後述する対象画面情報受信部、記憶部、及び送信コード登録部を設けるものとする。
【００２９】
まず、テレビ装置１側に設けられる対象画面情報送信部は、表示可能な分割画面領域のうちリモコン３が操作対象とする分割表示時の領域を特定するための対象画面情報を、リモコン３に送信する。この対象画面情報送信部は、ＩＣタグ２０で例示している。
【００３０】
リモコン３側の対象画面情報受信部は、テレビ装置１で表示可能な分割画面領域のうち、このリモコン３の操作対象として特定する領域を示す対象画面情報を受信する。この対象画面情報はＩＤで例示しており、またこの対象画面情報受信部は、ＩＣタグ２０から発信されたＩＤを読み取るＩＣタグリーダであるＩＤ受信部３２で例示している。
【００３１】
リモコン３側の記憶部は、テレビ装置１で表示可能な分割画面領域のそれぞれに対して、対象画面情報と送信コードとをセットとして関連づけて記憶している。この記憶部は、メモリ３３で例示している。メモリ３３には、各対象画面情報に対応させた送信コードを記憶しておくと共に、通常のキー対応の操作キーコードも記憶しておくことが好ましい。
【００３２】
ここで、送信コードとは、そのリモコン３からテレビ装置１に対して分割表示時の操作対象の領域を指定するために送信するコードとする。また、ここで記憶しておく対象画面情報は、対象画面情報受信部でテレビ装置１から受信可能な全ての分割画面情報に対するものであり、対象画面情報群と言える。従って、記憶されるセットは分割画面領域の個数分存在することとなる。さらに、テレビ装置１が２分割、３分割、４分割など複数種類の画面分割方法で分割表示する機能をもっている場合には、画面分割方法それぞれに対し複数セットずつ記憶しておけばよい。例えばテレビ装置１が全画面表示以外に２分割と４分割で画面表示可能とすると、２分割用に２セットと４分割用に４セットを記憶しておけばよい。
【００３３】
リモコン３側の送信コード登録部は、対象画面情報受信部で実際に受信した対象画面情報に対し、その対象画面情報に対応する送信コードを記憶部から読み出し、その記憶部に分割表示時の操作対象を示す送信コードとして登録する。この送信コード登録部は、ＣＰＵ３０で例示している。
【００３４】
この送信コード登録は、キー群３１の各キーに対応した操作キーコードにその送信コードを含めるように、操作キーコードを設定し直すようにしてもよい。すなわち、各キーに送信コードを付した操作キーコードを対応させる設定を行うようにしてもよい。若しくは、キーコード送信部３４が、キーに対応した操作キーコードの送信を実行する際にこの送信コードを添付して送信するようにしておけばよい。送信コードと操作キーコードとを分けて説明するため、以下では後者の場合を採用して説明する。
【００３５】
このように、本発明に係るリモコン３は、リモコン３側の記憶部に複数セット記憶されているうち、対象画面情報受信部で実際に受信した対象画面情報に係わる分割画面領域を、リモコン３の操作対象として選択・登録することとなる。
【００３６】
このように登録設定された操作対象の分割画面をリモコン３で操作できるようにするために、リモコン３側に後述する操作部（操作キー入力部ともいう）及びコード送信部を設け、テレビ装置１側に後述する記憶部、コード受信部、及び制御部を設けるものとする。
【００３７】
まず、リモコン３側の操作部は、テレビ装置１に対して操作（キー操作）を行う操作キーを複数有する。この操作部はキー群３１で例示している。これらの操作キーは、テレビ装置１に付属のリモコンに通常設けられている操作キーであってよく、例えば上下移動キー、左右移動キー、決定キー、キャンセルキー、入力切換キー、音量調整キー、選局キー、メニュー画面表示キーなどを設けておけばよい。
【００３８】
リモコン３側のコード送信部は、操作部でキーの操作がなされたときに、送信コード登録部で登録された送信コードを記憶部から読み出して、操作部で操作されたキーに対応した操作キーコードと共に送信する。このコード送信部はキーコード送信部３４で例示している。上述したように、操作キーコードはキーに対応させてメモリ３３に格納しておき送信時に読み出せばよい。
【００３９】
テレビ装置１側のコード受信部は、操作信号として、リモコン３から送信された操作キーコード及び送信コードを受信する。このコード受信部は、キーコード受信部１８で例示している。基本的に操作キーコードと送信コードとがセットで操作信号（リモコン信号）として受信される。
【００４０】
リモコン３側のキーコード送信部３４及びテレビ装置１側のキーコード受信部１８は、例えば、日本国内であれば財団法人家電製品協会フォーマットや各メーカ独自の赤外線通信方式を採用して、赤外線送光部及び赤外線受光部としてそれぞれ構成すればよい。また、赤外線通信方式以外にも、Ｂｌｕｅｔｏｏｔｈ（登録商標）、ＵＷＢ（Ultra Wide Band）、Ｚｉｇｂｅｅ等の無線ＰＡＮ（Personal Area Network）など、他の無線通信方式を採用してもよい。
【００４１】
テレビ装置１側の記憶部は、表示可能な分割画面領域のそれぞれに対して、分割画面領域を指定するための指定情報と、操作対象の領域を指定するための送信コードとを関連づけて、複数セット記憶する。この記憶部としては、例えば制御部１０（又はキーコード受信部１８）にＲＯＭ等のメモリを設けておけばよい。ここでいう送信コードはリモコン３から送信される可能性をもつ送信コードである。また、記憶されるセットは、分割画面領域の個数分存在することとなるが、テレビ装置１が２分割、３分割、４分割など複数種類の画面分割方法で分割表示する機能をもっている場合には、画面分割方法それぞれに対し複数セットが記憶されていることとなる。
【００４２】
テレビ装置１側の制御部は、コード受信部で受信した送信コードに対応する指定情報を記憶部から読み出して、コード受信部で送信コードと共に受信した操作キーコードでリモコン３の操作対象となっている分割画面領域（すなわち受信した操作キーコードにより操作実行される分割画面領域）を決定（指定）する。このようにして送信コードから操作対象の分割画面領域が判別できる。そして、この制御部は、指定した分割画面領域の表示に対する、操作キーコードが示す操作内容の処理を実行するよう制御する。この制御部は、ＣＰＵ等でなる制御部１０又はキーコード受信部１８制御部１０で例示できる。
【００４３】
また、分割表示時ではなく全画面表示時には、分割画面領域に対応する送信コードが送信されてきた場合でも、テレビ装置１は例えばリモコン３からの操作信号に含まれる送信コードを無視するなどの処理を行うことで、表示中の画面（全画面）に対する操作が可能となる。但し、全画面表示時に画面分割方法を切り換えて分割画面を表示するような操作キーに対応する操作キーコードに対しては、少なくとも全画面表示時の入力ソースや設定等はその送信コードに対応する位置の分割画面領域に反映させることが望ましい。
【００４４】
なお、テレビ装置１の制御部においては、コード受信部で受信した操作信号から送信コードを認識し送信コードが含まれていたときに、記憶部から対応する指定情報を読み出せればよい。従って、送信コードを伴わない操作キーコードを受信した場合には、このような制御は画面全体に対する操作として制御すればよい。例えば、操作対象の分割画面領域が設定されていないリモコン３からの操作キーコードや本発明に対応しないリモコンからの操作キーコードを受信した場合などがそれに該当する。
【００４５】
本発明に係るセットは、上述のごとき構成により、簡単な方法で、複数のリモコン３のそれぞれに対しテレビ装置１で分割表示する際の分割画面領域を操作対象に設定することが可能になる。さらに、このセットによれば、リモコン３側のその設定（登録）を書き換えて（すなわち分割画面領域を切り換えて）、他の分割画面領域を操作対象とすることも可能となる。そして、このような設定の結果、大型テレビの分割画面を個別に割り当てられた別の送信コードで操作すること、並びにテレビ装置１をユーザ毎に異なる映像設定等のユーザ設定で視聴することが可能となる。また、リモコン３とユーザ個人とが対応したものであり、またＩＤが個人を識別するためのＩＤとも言えるため、このセットは個人を識別するＩＤの設定と共に操作キーの設定を行うことができるとも言える。
【００４６】
上述のごとき構成をもつセットのより好ましい実施形態について、図１及び図２〜図４を参照して説明する。図２は、図１のテレビ装置の分割画面表示例を示す正面図、図３は、図１及び図２で例示したテレビ装置とリモコンとの間でなされる操作対象の分割画面領域の登録処理を説明するための図、図４は、図３の登録処理後のリモコン操作を説明するための図である。
【００４７】
ここで説明する実施形態では、上述したリモコン３におけるキー群３１が、ＩＤ受信部３２で受信する対象画面情報の送信要求を行う送信要求操作キーを有する、すなわちリモコン３は対象画面情報の送信要求を行うための送信要求操作部を有する。この送信要求操作キーは、ＩＤの送信要求を行ってリモコン３自身にＩＤを登録設定するためのキーであり、ＩＤ設定用キーとも言える。
【００４８】
そして、キーコード送信部３４は、送信要求操作部での要求、すなわち送信要求操作キーに対応した操作キーコードを送信するようにする。なお、送信要求操作キーの入力に対してキーコード送信部３４は少なくとも対応する操作キーコードを送信すればよく、送信コードは送信しないようにしてもよいが、喩え初期状態（ユーザが登録前のデフォルト）として或る送信コードが設定されている場合であっても、送信要求が指示されていることがテレビ装置１側で操作キーコードから認識できるため問題ない。
【００４９】
テレビ装置１側では、キーコード受信部１８が対象画面情報の送信要求に対応した操作キーコードを受信したときに、対象とする分割画面領域をユーザに選択させる。ここで受信する操作キーコードは、例えばメニュー画像表示用の操作キーコードであってもよい。
【００５０】
このようなユーザ選択を可能にするため、制御部１０は、対象画面情報の送信要求に対応した操作キーコードを受信したときに、まず、ＩＣタグ２０のＩＤ送信部２２で送信する対象画面情報（ここではＩＤ）を選択するためのメニュー画像を、ディスプレイ１７にＯＳＤ（On Screen Display）表示するよう制御する。このメニュー画像は、対象画面情報を選択するため分割画面領域選択用ＯＳＤ画像と言える。
【００５１】
なお、ＯＳＤ画像の表示処理自体は既存の技術で実行すればよい。例えば、内部ＲＯＭ等に分割画面領域選択用のＯＳＤ画像を格納したＯＳＤ処理部を制御部１０に接続して設け、さらに映像処理ＩＣ１３からの映像とＯＳＤ処理部からのＯＳＤ画像を重畳するための合成部を、映像処理ＩＣ１３と表示デバイスドライバ１５との間に設けておけばよい。そして、制御部１０が分割画面領域選択用のＯＳＤ画像を表示するようにＯＳＤ処理部に指示し、合成部で映像処理ＩＣ１３からの映像に重畳させて、表示デバイスドライバ１５に出力するようにすればよい。若しくは図１の構成において、制御部１０が内蔵ＲＯＭ等に格納しておいた分割画面領域選択用のＯＳＤ画像を重畳して表示するように、その命令と共にそのＯＳＤ画像を映像処理ＩＣ１３に渡し、映像処理ＩＣ１３がチューナ部１１や外部入力部１２をソースとする映像にこのＯＳＤ画像を重畳させて、表示デバイスドライバ１５に出力するようにすればよい。
【００５２】
また、上述の送信要求操作キーは、例えばメニュー画面表示キーを押下後にディスプレイ１７に送信要求項目を含むメニューをＯＳＤ表示し、その送信要求項目をユーザに選択させることで代用してもよい。すなわち、送信要求操作キーは、メニュー画面表示キー、選択キー、及び決定キーなど、送信要求を一連のキー操作として行うための複数のキーであってもよい。
【００５３】
制御部１０は、分割画面領域選択用ＯＳＤ画像の表示中（すなわち送信要求操作キーの操作後）、キーコード受信部１８でその選択を決定する要求に対応した操作キーコードを受信したとき、ＩＣタグ２０を制御して次の処理を実行させる。ＩＣタグ２０のＩＤ送信部２２は、制御部１０からの制御により、選択・決定された対象画面情報（ＩＤ）をメモリ２１から読み出して無線送信する。
【００５４】
リモコン３側では、ＩＤ送信部２２からの発信をＩＤ受信部３２で受信し、ＣＰＵ３０が、受信した対象画面情報（ＩＤ）に対応する送信コードをメモリ３３から読み出して、それを分割表示時の操作対象を表す送信コードとしてメモリ３３に登録する。ここで登録された送信コードは、テレビ装置１においてその対象画面情報が示す分割画面領域が操作対象となっていることを解釈するために用いることとなる。
【００５５】
図２〜図４を参照し、テレビ装置１が図２のごとき２分割で画面表示が可能な場合を想定して、具体的に登録処理例を説明する。ここで、左側を画面I（１７ａ）、右側を画面II（１７ｂ）とし、ＩＣタグ２０はテレビ装置１のいずれかの位置に好ましくは内蔵されているものとする。
【００５６】
まず、ユーザＡがリモコンＡ（３ａ）で送信要求操作キーを押下する。そのとき図３（Ａ）に示すように、リモコンＡ（３ａ）はこのキーに対する操作キーコードを少なくとも含む操作信号をキーコード送信部３４から送信し、テレビ装置１はキーコード受信部１８でこの操作信号を受信する。そして、制御部１０が、分割画面領域選択用ＯＳＤ画像（ＩＤ設定用メニュー画像）をディスプレイ１７に表示させる制御を行う。図２のごとき２分割画面表示時の設定に用いる分割画面領域選択用ＯＳＤ画像は、例えば図３（Ａ）の画像１５ａに示すように、リモコンＩＤの選択画面であることの表記と共に選択可能なＩＤ（ここではＩＤ１とＩＤ２）が表示された画像とすればよい。
【００５７】
続いて、分割画面領域選択用ＯＳＤ画像を表示中に、ユーザがリモコンＡ（３ａ）でカーソル上下キーで設定したいＩＤ（ここではＩＤ１とする）を選択する操作を行うと、キーコード送信部３４から対応する操作信号が発せられる。その操作信号をキーコード受信部１８で受信したテレビ装置１は、制御部１０が画像１５ａのようにその選択をＯＳＤ表示に反映させる制御を行う。さらに、ユーザがリモコンＡ（３ａ）で決定キーを押下することでその選択を確定させるとキーコード送信部３４が対応する操作信号を送信する。
【００５８】
テレビ装置１では、キーコード受信部１８がその操作信号を受信し、制御部１０がＯＳＤ表示をオフする制御を行うと共に、ＩＣタグ２０のＩＤ送信部２２が決定されたＩＤ１（例えば決定要求を受信時に選択されていたＩＤとしてＩＤ１を認識）をメモリ２１から読み出して無線送信する。ここで、ＩＣタグ２０の電源を供給は、いずれかのＩＤが選択された時点で制御部１０が図示しない電源制御部で実行させるようにすることが省電力化が図れるため好ましい。
【００５９】
リモコンＡ（３ａ）では、ＩＤ受信部３２がそのＩＤ１の信号を受信して、ＣＰＵ３０が、受信したＩＤ１に対応する送信コードをメモリ３３から読み出しそれを分割表示時の操作対象を表す送信コードとしてメモリ３３に登録する。ＩＤ受信部３２におけるＩＤの受信は、送信要求操作キーの押下時にリモコンＡ（３ａ）をＩＣタグ２０の電波の到達範囲内に入れておくことで可能である。
【００６０】
同様に、ユーザＢがリモコンＢ（３ｂ）で送信要求操作キーを押下して、表示されたＯＳＤ画像において図３（Ｂ）の画像１５ｂに示すようにＩＤ２を選択することで、リモコンＢ（３ｂ）でＩＤ２に対応する送信コードが登録できる。
【００６１】
ここで、当然、ユーザＡがユーザＢ用の設定を併せて行ってもよい。また、リモコンＡ（３ａ）のＩＤ設定に際し選択を確定させても、キャンセルが選択・決定されない限り図３（Ａ）での画像１５ａをオフしないようにしてもよい。このような制御により、リモコンＡ（３ａ）に続くリモコンＢ（３ｂ）のＩＤ設定を、送信要求操作キーをリモコンＢ（３ｂ）で押下しなくてもＩＤの選択・決定の操作だけで実行することができる。
【００６２】
このように、リモコンＡ（３ａ），Ｂ（３ｂ）に対してそれぞれＩＤ１，ＩＤ２が設定、すなわち画面I（１７ａ），画面II（１７ｂ）が操作対象として設定された場合の実際の操作について説明する。テレビ装置１では、制御部１０が、分割画面表示時に送信コードを認識しその送信コードに対応する指定情報を内部メモリから読み出して操作対象の分割画面領域を決定し、その送信コードと共に受信した操作キーコードが示す操作内容を実行するようテレビ装置１全体を制御する。
【００６３】
従って、図４（Ａ）に示すように、リモコンＡ（３ａ）ではＩＤ１に対応する送信コードが操作信号に含まれるため、テレビ装置１では画面I（１７ａ）が操作対象となり動作するが、画面II（１７ｂ）は操作対象とはならずに動作しない。同様に、図４（Ｂ）に示すように、リモコンＢ（３ｂ）ではＩＤ２に対応する送信コードが操作信号に含まれるため、テレビ装置１では画面II（１７ｂ）が操作対象となり動作するが、画面I（１７ａ）は操作対象とはならずに動作しない。
【００６４】
勿論、リモコンＡ（３ａ），Ｂ（３ｂ）の双方でＩＤ１を設定しても、或いはＩＤ２を設定してもよい。その場合、例えば前者のＩＤ１の設定では、画面I（１７ａ）がリモコンＡ（３ａ），Ｂ（３ｂ）の双方で操作対象となり動作するが、画面II（１７ｂ）はいずれでも操作対象とならず動作しないこととなる。
【００６５】
さらに、このような設定後、対応するＩＤの画面以外の画面を操作したい場合は、操作したい画面のＩＤを取得してキー設定をやり直すことで対応可能である。例えば、リモコンＡ（３ａ）でＩＤ１を設定していた場合でも、同様の手順でＩＤ２に設定し直すことができる。
【００６６】
また、ここでは、元々テレビ装置１が２分割しかできずリモコン３の数も２つであることとして簡略化して説明したが、リモコンが３つ以上ある場合には、同様に３つ目以降のリモコンに対して登録処理を実行すればよい。その場合、分割画面が３つ以上あるときには、重複を避けて各リモコンに各分割画面領域を設定することができる。
【００６７】
さらに、例えば２分割と３分割で画面分割表示が可能であり且つ双方の画面分割方法に本発明の登録処理を適用する場合には、分割画面領域選択用のＯＳＤ画像において、２分割用の設定項目と３分割用の設定項目を設けておき、それらの下層にどの分割画面領域を選択するかの選択項目を表示させるようにすればよい。このとき、制御部１０の内部メモリに指定情報として、ＩＤ毎に、２分割のいずれの画面が対応しているか、並びに３分割いずれの画面が対応しているかを記憶しておけば、操作対象の分割画面領域を決定することができる。若しくは予め２分割の各領域と３分割の各領域とを対応付けておき、一方の画面分割方法に対する登録処理が完了したときに自動的に他方の登録処理も済んでいるようにしてもよい。
【００６８】
また、分割画面領域の選択項目もＩＤ選択項目として例示したが、２画面であれば左画面及び右画面の項目を表示し、３画面であれば左上画面、左下画面、及び右画面の項目を表示するなどしてもよい。さらに、例えば図２のイメージをそのまま画面I（１７ａ），II（１７ｂ）を選択可能な状態で表示し、ユーザに選択させるようにしてもよい。
【００６９】
図５は、図１及び図２で例示したテレビ装置とリモコンとの間でなされる操作対象の分割画面領域の登録処理の他の例を説明するための図で、本発明の他の実施形態に係るテレビ装置とリモコンのセットを説明するための図である。
【００７０】
図５を参照して説明する実施形態のセットは、その構成例として図１及び図２で説明した実施形態と基本的に同様であるが、テレビ装置１における制御部１０における制御が異なり、分割画面領域選択用のＯＳＤ画像の表示を必要としない。勿論、登録処理中はその旨をＯＳＤ表示してもよい。
【００７１】
まず、本実施形態におけるリモコン３においても、上述した送信要求操作キー（ＩＤ設定用キー）を有するものとする。この送信要求操作キーは、キー群３１のうち、ＩＤ受信部３２で受信する対象画面情報の送信要求を行うためのキーである。キーコード送信部３４は、送信要求操作キーの入力に応じてそれに対応した操作キーコードを送信するようにする。
【００７２】
テレビ装置１はキーコード受信部１８でこの操作キーコードを受信し、制御部１０がＩＣタグ２０を制御して次の処理を実行させる。ＩＣタグ２０のＩＤ送信部２２は、制御部１０からの制御により、メモリ２１に格納された複数の対象画面情報（ＩＤ）のうち順番にＩＤを読み出して無線送信する。
【００７３】
本実施形態では、ユーザがリモコンを持ち替えてリモコン毎に順番にＩＤ要求を行うことで、ＩＤ要求の順番で各リモコンにＩＤ１，ＩＤ２，ＩＤ１，ＩＤ２，・・・（３つならＩＤ１，ＩＤ２，ＩＤ３，ＩＤ１，・・・）が登録されることとなる。従って、例えば、仮に同じリモコンＡで連続してＩＤ要求を実行すればリモコンＡに登録されているＩＤはまずＩＤ１となり次にＩＤ２に書き換えられることとなる。
【００７４】
ここで、ＩＣタグ２０の電源を供給は、送信要求操作キーに対応する操作信号を受信した時点で制御部１０が図示しない電源制御部で実行させるようにすることが省電力化が図れるため好ましい。そして、例えば一旦電源が供給されると所定時間供給を続けるようにしておき、その電源供給がなされる間に限り、順番にＩＤを読み出すようにしてもよい。再度電源が供給された場合にはまた最初のＩＤから読み出されることとなる。
【００７５】
このように、本実施形態では、上述した対象画面情報送信部が対象画面情報を所定の順番で送信するようにすることで、分割画面領域選択用のＯＳＤ画像の表示及びユーザによる選択を必要としないようにしている。
【００７６】
本実施形態について、図５を参照しテレビ装置１が図２のごとき２分割で画面表示が可能な場合を想定して、具体的に登録処理例を説明する。まず、ユーザＡがリモコンＡ（３ａ）で送信要求操作キーを押下する。そのとき図５（Ａ）に示すように、リモコンＡ（３ａ）はこのキーに対する操作キーコードを少なくとも含む操作信号をキーコード送信部３４から送信し、テレビ装置１はキーコード受信部１８でこの操作信号を受信する。そして、その操作信号をキーコード受信部１８で受信したテレビ装置１は、制御部１０が、ＩＣタグ２０のＩＤ送信部２２に対しＩＤ１を送信するよう制御して、ＩＤ送信部２２がＩＤ１をメモリ２１から読み出して無線送信する。
【００７７】
リモコンＡ（３ａ）では、ＩＤ受信部３２がそのＩＤ１の信号を受信して、図３を参照して説明したように、受信したＩＤ１に対応する送信コードをメモリ３３に登録する。ＩＤ受信部３２におけるＩＤの受信は、送信要求操作キーの押下時にリモコンＡ（３ａ）をＩＣタグ２０の電波の到達範囲内に入れておくことで可能である。同様に、リモコンＢ（３ｂ）で送信要求操作キーを押下すると、テレビ装置１は次のＩＤであるＩＤ２をＩＣタグ２０から発信し、リモコンＢ（３ｂ）でＩＤ２に対応する送信コードが登録できる。
【００７８】
このように、リモコンＡ（３ａ），Ｂ（３ｂ）に対してそれぞれＩＤ１，ＩＤ２が設定、すなわち画面I（１７ａ），画面II（１７ｂ）が操作対象として設定された場合の実際の操作については図４で説明した通りである。
【００７９】
また、リモコンが３つ以上ある場合の処理についても上述した通りである。さらに、複数の画面分割方法で画面分割表示が可能であり且つ双方の画面分割方法に本実施形態の登録処理を適用する場合も、本実施形態が適用できる。３つのリモコン３をセットとして備え且つ２分割と３分割で表示可能な場合を例示すると、ＩＤを送信する順序として２分割用の左画面、右画面、３分割用の左上画面、左下画面、右画面という具合に決めておけばよい。その際、現在どの画面に対するＩＤを設定しているのかをＯＳＤ表示するとユーザにとって分かり易い。このとき、制御部１０の内部メモリに指定情報として、ＩＤ毎にどの画面が対応しているかを記憶しておけば、操作対象の分割画面領域を決定することができる。若しくは、多い方の分割数（ここでは３つ）を基準とし、制御部１０の内部メモリに指定情報として予め２分割の各領域と３分割の各領域とを対応付けておき、一方の画面分割方法に対する登録処理が完了したときに自動的に他方の登録処理も済んでいるようにしてもよい。
【００８０】
また、本実施形態では、ＩＣタグとしてアクティブＲＦＩＤ方式のタグであるＩＣタグ２０を利用したが、パッシブＲＦＩＤ方式のタグである１つのＩＣタグ（例えば図６で後述するＩＣタグ６０）を採用してもよい。この場合、リモコン３側にもＩＤ受信部３２の代わりに、ＩＤの送信要求を行い発信されたＩＤを取得するＩＤ送受信部（例えば図６で後述するＩＤ送受信部７２）を設けておくとよい。ＩＣタグ６０については図６で説明するが、後述の実施形態とは異なり本実施形態におけるＩＣタグ６０は内部のメモリ６１に複数のＩＤを保持しておき、ＩＤの要求がある度に順番にＩＤをメモリ６１から読み出して発信するものであればよい。そのときリモコンには上述のＩＤ設定用キーが不要であり、単にＩＣタグ６０に近づけただけでＩＤ要求を行うことができる。
【００８１】
本発明は、他の実施形態として、上述のごとき送信要求操作キー（ＩＤ設定用キー）はリモコン３側に設けられていなくても、テレビ装置１側に設けられていてもよい。すなわち、本実施形態におけるテレビ装置１は操作を行う本体操作部（図示せず）を備える。本体操作部は、例えばテレビ装置１の筐体のフレームにおけるディスプレイ１７の下側に位置する部分や上面部分などに、ユーザからの操作を入力する本体操作キーを複数個設けることで実装するとよい。この実施形態は、図１〜図４で説明した実施形態や図５で説明した実施形態に適用できる。
【００８２】
図１〜図４で説明した実施形態に適用する場合、本実施形態における制御部１０は、本体操作部での所定の操作（上述のＩＤ設定用キーのごとき操作）がなされたときに、ＩＣタグ２０のＩＤ送信部２２で送信する対象画面情報（ＩＤ）を選択するためのメニュー画像（例えば図３の画像１５ａ，１５ｂ）をＯＳＤ表示するよう制御する。そして、ＩＤ送信部２２は、メニュー画像を表示させた状態で本体操作部での選択操作により選択されたＩＤを送信する。但し、この選択操作に対応するＩＤを登録したいリモコン３だけ、ＩＣタグ２０の電波の到達範囲内に入れておく必要がある。
【００８３】
図５で説明した実施形態に適用する場合、本実施形態における制御部１０は、本体操作部での所定の操作がなされたときに、ＩＣタグ２０に対しＩＤ送信部２２から順番にＩＤを送信するよう制御する。ＩＤ受信部３２におけるＩＤの受信は、上述の所定の操作を本体操作部で行う時にリモコン３をＩＣタグ２０の電波の到達範囲内に入れておくことで可能である。なお、図５の実施形態においてパッシブＲＦＩＤ方式のタグを用いる場合には、本実施形態は特に適用する必要がない。
【００８４】
また、本発明に係る他の実施形態として、図１〜図４で説明した実施形態において、リモコン３に送信要求操作キーを分割数に合った数だけ設けておき、リモコン３上でユーザが望みの操作キーを選択して入力するようにしてもよい。そして、テレビ装置１側では、リモコン３から送信された対象画面情報の送信要求に対応した操作キーコードをキーコード受信部１８で受信したときに、直ぐにＩＣタグ２０のＩＤ送信部２２がその対象画面情報を無線発信するよう構成しておく。
【００８５】
例えば、テレビ装置１の制御部１０が、送信要求操作キーがいずれの分割画面領域に対応した操作キーであったかを操作キーコードから判別することで、その分割画面領域に対応する対象画面情報（ＩＤ）をＩＣタグ２０で送信することができる。本実施形態では、送信要求に対応した操作キーコードを受信したときに、図１〜図４で説明した実施形態のように、ＯＳＤ画像を表示してユーザに選択させる必要がない。
【００８６】
また、同様に他の実施形態として、分割数の送信要求操作キーを上述した本体操作部のごとくテレビ装置１側に設けておき、所定の操作がなされたときに、ＩＣタグ２０のＩＤ送信部２２がその対面情報を無線発信するようにしてもよい。
【００８７】
また、図１〜図４及び図５を参照して説明した各実施形態において、図１のセットでは、対象画面情報（ＩＤ）の送信にＲＦＩＤ方式のタグ及びリーダを用いたが、ＩＤの送信は、ＲＦＩＤ方式以外の短距離無線をはじめ、赤外線通信方式、Ｂｌｕｅｔｏｏｔｈ（登録商標）、ＵＷＢ、Ｚｉｇｂｅｅ等の無線ＰＡＮなど、他の無線通信方式を採用してもよい。その場合、キーコード送信部３４及びキーコード受信部１８と一体化して１つの双方向無線通信方式のユニットとして、テレビ装置１及びリモコン３に搭載してもよい。
【００８８】
また、図１〜図４及び図５を参照して説明した各実施形態において、各分割画面領域用の対象画面情報（ＩＤ）や送信コードに限らず、全ての分割画面領域に対する操作が実行できるように設定を行うための対象画面情報（ＩＤ）や送信コードを、別途用意しておいてもよい。このＩＤは、分割画面領域用と同様にユーザ選択可能に表示等を行うか、或いは順番に送信するＩＤに加えておけばよい。このＩＤをリモコン３に設定することで、全ての分割画面領域に対する操作が可能となる。ここでの全ての分割画面領域に対する操作とは、分割表示時に全ての分割画面領域に対する操作のうち全ての領域に有効な操作、或いは有効にしても大きな問題とならない操作（例えば音量調整、画質調整等）であり、例えばチャンネル切り換え操作などは含まなくてもよい。
【００８９】
図６は、本発明の他の実施形態に係る、テレビ装置とリモコンのセットの構成例を示す図である。図６において、５はテレビ装置、７はリモコン、６０はＩＣタグ（パッシブ）、６１はＩＣタグ６０のメモリ、６２はＩＤ要求受信部及びＩＤ送信部を有するＩＤ送受信部、７２はＩＤ要求送信部及びＩＤ受信部を有するＩＤ送受信部である。ＩＣタグ６０は複数設けられているが、図６では省略している。メモリ６１は、対象画面情報として１つのＩＤを記憶しており、ＩＤ送受信部６２は、非接触でＩＤ送信要求に応じてメモリ６１に記憶されたＩＤを無線送信（発信）する。
【００９０】
また、図６において、５１はチューナ部１１、５２は外部入力部１２、５３は映像処理ＩＣ１３、５４は音声処理ＩＣ１４、５５は表示デバイスドライバ１５、５６はバックライトユニット１６、５７はディスプレイ１７、５８はキーコード受信部１８、５９はスピーカ１９、７０はＣＰＵ３０、７１はキー群３１、７３はメモリ３３、７４はキーコード送信部３４が、それぞれ図１に対応する構成要素である。
【００９１】
このように、図６で例示するテレビ装置５とリモコン３は、それぞれ図１のテレビ装置１とリモコン７において、アクティブＲＦＩＤ方式のＩＣタグ２０を複数のパッシブＲＦＩＤ方式のＩＣタグ６０に置き換え、且つＩＤ受信部３２をＩＤ送受信部７２に置き換えたものであり、他の構成要素については基本的に同様であるため、その説明を省略する。
【００９２】
本実施形態におけるテレビ装置５では、上述の対象画面情報送信部は、リモコン７からの送信要求を受信する要求受信部を複数有するものとする。さらに、これらの要求受信部は、分割画面領域のそれぞれに対応した位置毎に配設されるものとする。そして、上述の対象画面情報送信部は、リモコン７からの送信要求を受信したときに、分割画面領域のそれぞれに対応する対象画面情報（各対象画面情報送信部に割り当てられている対象画面情報）を送信する。
【００９３】
本実施形態において対象画面情報送信部は、ＩＣタグ６０（実際にはそのうちメモリ６１及びＩＤ送受信部６２におけるＩＤ送信部）で例示している。また、要求受信部はＩＣタグ６０のＩＤ送受信部６２（実際にはそのうちＩＤ要求受信部）で例示している。
【００９４】
本実施形態におけるリモコン７は、次の要求送信部を備えるものとする。この要求送信部は、テレビ装置５において分割画面領域のそれぞれに対応した位置に配設された対象画面情報送信部の一つに、リモコン７を近づけることで、その対象画面情報送信部に対して、対象画面情報受信部で受信する対象画面情報の送信要求を行う。この要求送信部はＩＤ送受信部７２におけるＩＤ要求送信部で例示しており、対象画面情報受信部はＩＤ送受信部７２におけるＩＤ受信部で例示している。つまり、これら要求送信部及び対象画面情報受信部は、ＩＣタグ６０に対しＩＤの送信要求を行い、ＩＣタグ６０から発信されたＩＤを読み取るＩＣタグリーダであるＩＤ送受信部７２で例示している。
【００９５】
また、リモコン７を対象画面情報送信部に近づけるだけでなく、上述したような送信要求操作キーをリモコン７に設けておき、近づけると共にそのキー入力があった時点で送信要求を行うようにすることが好ましい。使用形態によってはリモコン７を近づけて操作することが生じうるためである。
【００９６】
ここで例示したテレビ装置５とリモコン７のセットにおける登録処理例について、図７〜図９を参照して具体的に説明する。図７は、図６で例示したテレビ装置とリモコンとの間でなされる操作対象の分割画面領域の登録処理の一例を説明するための図、図８は、図７の登録処理後のリモコン操作を説明するための図、図９は、図６で例示したテレビ装置とリモコンとの間でなされる操作対象の分割画面領域の登録処理の他の例を説明するための図である。
【００９７】
本実施形態においてもテレビ装置５が２分割で画面表示が可能な場合を想定して、登録処理例を説明する。図７及び図８において、左側を画面I（５７ａ）、右側を画面II（５７ｂ）とし、それぞれの画面に対応して設けられたＩＣタグ６０をＩＣタグi（６０ａ）、ＩＣタグii（６０ｂ）とする。ＩＣタグi（６０ａ）、ＩＣタグii（６０ｂ）は、それぞれ、画面I（５７ａ）を操作するためのＩＤ、右側を画面II（５７ｂ）を操作するためのＩＤを、発信可能にメモリ６１に保持している。
【００９８】
さらに図７及び図８では、ＩＣタグi（６０ａ）、ＩＣタグii（６０ｂ）はそれぞれ、画面I（５７ａ）の左端中央付近、画面II（５７ｂ）の右端中央付近に配設した例を示している。ＩＣタグi（６０ａ）、ＩＣタグii（６０ｂ）の信号有効範囲は、可能な限り重複しないようにしておく必要があり、このような配設例では重複を避け且つより広い有効範囲をもたせることができる。実際、パッシブ型のＩＣタグの電波は微弱（有効距離が数十ｃｍ）であるため、ディスプレイ１７が大型であればお互いの信号（双方のＩＣタグで発せられたＩＤ）が干渉することはない。若しくは、お互いの信号が干渉しないように出力を調整することは可能である。
【００９９】
なお、図７及び図８では、ＩＣタグ６０をディスプレイ５７の背後に図示しているが、ディスプレイ５７との間で生じる影響があったとしても、登録処理時だけであるので考慮しなくてもよい。但し、バックライトユニット５６の点灯をはじめとする映像表示時の処理によりＩＣタグ６０がＩＤを発信するようなことだけは避けることが望ましい。このような影響を考慮するのであれば筐体のフレームに埋め込むなどの対策を採ればよく、９画面表示などのように対応する画面外側に筺体のフレームがない場合のみ対応する位置のディスプレイの背後に設けておけばよい。
【０１００】
まず、リモコンＡ（７ａ）の操作対象を画面I（５７ａ）に設定する場合について説明する。図７（Ａ）に示すように、ユーザＡがリモコンＡ（７ａ）をＩＣタグi（６０ａ）に近づけて信号の有効範囲に入れた状態でＩＤ取得用の操作（送信要求操作キーの押下）を行う。その操作を受け、ＣＰＵ７０はＩＤ送受信部７２に対し、ＩＤの送信要求を実行させる。
【０１０１】
ＩＤ送受信部７２はＩＤの送信要求の電波を発し、その電波を受けた有効範囲内に存在するＩＤ送受信部６２がアンテナの反射波に乗せてＩＤを返す。ＩＤ送受信部７２がこのＩＤ（ＩＤ１）を受信することで、リモコン７はＩＤ１を取得する。ここでは、図７（Ａ）に示すようにリモコンＡ（７ａ）がＩＣタグii（６０ｂ）の有効範囲から外れているため、画面II（５７ｂ）用のＩＤであるＩＤ２を間違って取得することはない。
【０１０２】
リモコンＡ（７ａ）では、ＩＤ送受信部７２がそのＩＤ１の信号を受信して、ＣＰＵ７０が、受信したＩＤ１に対応する送信コードをメモリ７３から読み出しそれを分割表示時の操作対象を表す送信コードとしてメモリ７３に登録する。
【０１０３】
同様に、図７（Ｂ）に示すように、ユーザＢがリモコンＢ（７ｂ）をＩＣタグii（６０ｂ）の有効範囲内に入れ送信要求操作キーを押下して、ＩＣタグii（６０ｂ）からＩＤ２を取得することで、リモコンＢ（７ｂ）でＩＤ２に対応する送信コードが登録できる。当然、ユーザＡがユーザＢ用の設定を併せて行ってもよい。
【０１０４】
このように、リモコン７には各画面操作用のコード体系（送信コード）をメモリ７３に保存しており、ＩＤを受信したとき、そのＩＤに該当するコードをメモリ７３から読み出し、操作キーの設定を行う。
【０１０５】
設定されたリモコンは、該当するＩＤの画面のみ操作できるようになる。リモコンＡ（７ａ），Ｂ（７ｂ）に対してそれぞれＩＤ１，ＩＤ２が設定、すなわち画面I（５７ａ），画面II（５７ｂ）が操作対象として設定された場合の実際の操作については、図４を参照した説明と同様である。
【０１０６】
従って、図８（Ａ）に示すように、リモコンＡ（７ａ）ではＩＤ１に対応する送信コードが操作信号に含まれるため、テレビ装置５では画面I（５７ａ）が操作対象となり動作するが、画面II（５７ｂ）は操作対象とはならずに動作しない。同様に、図８（Ｂ）に示すように、リモコンＢ（７ｂ）ではＩＤ２に対応する送信コードが操作信号に含まれるため、テレビ装置５では画面II（５７ｂ）が操作対象となり動作するが、画面I（５７ａ）は操作対象とはならずに動作しない。
【０１０７】
本実施形態においても、リモコンＡ（７ａ），Ｂ（７ｂ）の双方で同じＩＤを設定してもよく、また設定後、対応するＩＤの画面以外の画面を操作したい場合は、本実施形態の方法で操作したい画面のＩＤを取得してキー設定をやり直すことで対応できる。また、分割表示時ではなく全画面表示時の処理について、また操作信号に送信コードが伴わない場合の処理については、図１の説明で述べた通りである。
【０１０８】
さらに、本実施形態においても、図１〜図４を参照して説明した各実施形態と同様に、リモコンが３つ以上ある場合や分割画面が３つ以上ある場合にも適用できる。リモコンが４つあり４分割で表示可能な場合について、図９を参照してリモコンＡ〜Ｄで順番に画面I（５７ａ）〜IV（５７ｄ）を操作対象として設定する場合を例に挙げ簡単に説明する。
【０１０９】
テレビ装置５には、４分割のそれぞれの分割画面領域に対応させた位置にＩＣタグ６０ａ〜６０ｄを配設しておく必要があり、例えば図９のようにディスプレイ５７の四隅に設けておくとよい。そして、リモコンＡをＩＣタグ６０ａに近づけて送信要求操作キーを押下してリモコンＡを画面I（５７ａ）の操作対象として登録する。同様にして、リモコンＢ，Ｃ，ＤをそれぞれＩＣタグ６０ｂ，６０ｃ，６０ｄに近づけて取得操作を行うことで、リモコンＢ，Ｃ，Ｄをそれぞれ画面II（５７ｂ），画面III（５７ｃ），画面IV（５７ｄ）の操作対象として登録できる。
【０１１０】
また、複数の画面分割方法で画面分割表示が可能であり且つ双方の画面分割方法に本実施形態の登録処理を適用する場合も、本実施形態が適用できる。３つのリモコン７をセットとして備え且つ２分割と３分割で表示可能な場合を例示する。個々のＩＣタグ６０の有効範囲を狭くしておき、２分割用のＩＣタグi（６０ａ），ＩＣタグii（６０ｂ）の他に、３分割用のＩＣタグ６０を３つ分割画面領域に対応させて配設しておき、各リモコン７で設定を行うとよい。なお、例えば２分割と４分割の場合にはＩＣタグの兼用も可能である。若しくは、多い方の分割数（ここでは３つ）のＩＣタグ６０を配設しておき、さらに制御部５０の内部メモリに指定情報として予め２分割の各領域と３分割の各領域とを対応付けておき、一方の画面分割方法に対する登録処理が完了したときに自動的に他方の登録処理も済んでいるようにしてもよい。
【０１１１】
また、図６〜図９を参照して説明した実施形態において、図６のセットでは、対象画面情報（ＩＤ）の送受信にＲＦＩＤ方式のタグ及びリーダを用いたが、ＩＤの送信は、ＲＦＩＤ方式以外の短距離無線をはじめ、赤外線通信方式、Ｂｌｕｅｔｏｏｔｈ（登録商標）、ＵＷＢ、Ｚｉｇｂｅｅ等の無線ＰＡＮなど、他の無線通信方式を採用してもよい。その場合、キーコード送信部７４及びキーコード受信部５８と一体化して１つの双方向無線通信方式のユニットとして、テレビ装置５及びリモコン７に搭載してもよい。
【０１１２】
また、図１〜図４及び図５を参照して説明した各実施形態と同様に、各分割画面領域用の対象画面情報（ＩＤ）や送信コードに限らず、全ての分割画面領域に対する操作が実行できるように設定を行うための対象画面情報（ＩＤ）や送信コードを、別途用意しておいてもよい。本実施形態に適用する場合、各分割画面領域用のＩＣタグに限らず、全ての分割画面領域に対する操作が実行できるように設定を行うためのＩＣタグを別途設けておけばよい。その場合、分割画面領域用のＩＣタグ６０にリモコン７を近づけるのと同様に、全ての分割画面領域用のＩＣタグにリモコン７を近づけることで、全ての分割画面領域に対する操作が可能なようにリモコン７を設定することができる。
【０１１３】
以上、本発明のリモコン及び映像表示装置のセットについて説明してきたが、本発明は、上述した処理手順でリモコンに対象画面情報に係わる送信コードを登録設定する設定方法としての形態を採用してもよい。
【０１１４】
また、本発明は、上述したテレビ装置１，５等の映像表示装置内に組み込まれ、制御部１０，５０等で例示した制御部に上述した映像表示装置側の処理を実行させるための制御プログラム（ファームウェア）としての形態も採用してもよい。同様に、本発明は、上述したリモコン３，７等のリモコン内に組み込まれ、ＣＰＵ３０，７０等で例示した制御部に上述したリモコン側の処理を実行させるための制御プログラム（ファームウェア）としての形態を採用してもよい。これらのプログラムは、コンピュータ読み取り可能な記録媒体に記録することで流通させたり、ネットワーク経由や放送経由で配信して流通させ、映像表示装置に転送して記憶させたり、その映像表示装置を介するなどしてリモコンに転送するとよい。この記録媒体としては、具体的には、各種のＣＤ（Compact Disc），光磁気ディスク，ＤＶＤ（Digital Versatile Disc），フロッピー（登録商標）ディスク，フラッシュメモリや、その他各種ＲＯＭやＲＡＭ等が想定できる。
【図面の簡単な説明】
【０１１５】
【図１】本発明の一実施形態に係る、テレビ装置とリモコンのセットの構成例を示す図である。
【図２】図１のテレビ装置の分割画面表示例を示す正面図である。
【図３】図１及び図２で例示したテレビ装置とリモコンとの間でなされる操作対象の分割画面領域の登録処理の一例を説明するための図である。
【図４】図３の登録処理後のリモコン操作を説明するための図である。
【図５】図１及び図２で例示したテレビ装置とリモコンとの間でなされる操作対象の分割画面領域の登録処理の他の例を説明するための図である。
【図６】本発明の他の実施形態に係る、テレビ装置とリモコンのセットの構成例を示す図である。
【図７】図６で例示したテレビ装置とリモコンとの間でなされる操作対象の分割画面領域の登録処理の一例を説明するための図である。
【図８】図７の登録処理後のリモコン操作を説明するための図である。
【図９】図６で例示したテレビ装置とリモコンとの間でなされる操作対象の分割画面領域の登録処理の他の例を説明するための図である。
【符号の説明】
【０１１６】
１，５…テレビ装置、３，７…リモコン、１０，５０…制御部、１１，５１…チューナ部、１２，５２…外部入力部、１３，５３…映像処理ＩＣ、１４，５４…音声処理ＩＣ、１５，５５…表示デバイスドライバ、１６，５６…バックライトユニット、１７，５７…ディスプレイ、１８，５８…キーコード受信部、１９，５９…スピーカ、２０，６０…ＩＣタグ、２１，６１…ＩＣタグのメモリ、２２…ＩＤ送信部、３０，７０…ＣＰＵ、３１，７１…キー群、３２…ＩＤ受信部、３３，７３…リモコンのメモリ、３４，７４…キーコード送信部、６２…ＩＣタグのＩＤ送受信部、７２…リモコンのＩＤ送受信部。
【図１】
0004963447.tif 000002
【図２】
0004963447.tif 000003
【図３】
0004963447.tif 000004
【図４】
0004963447.tif 000005
【図５】
0004963447.tif 000006
【図６】
0004963447.tif 000007
【図７】
0004963447.tif 000008
【図８】
0004963447.tif 000009
【図９】
0004963447.tif 000010